(57)【特許請求の範囲】
【請求項１】
土壌に供給されて埋設される種子紐を播種終了点で切断するための種子紐切断装置であって、
土壌に押さえつけ配設された種子紐を保持して種子紐の一部をすくい上げ土壌表面の上に設けられているカッタに接触させる手段とから構成した種子紐切断装置。
【請求項２】
前記種子紐をカッタに接触させる手段は、種子紐の方向と交差する平面内を移動するフックをもち、前記種子紐の下側を移動し、種子紐の一部をすくい上げるレバーであり、
前記カッタはレバーの移動経路に設けられている請求項１記載の種子紐切断装置。
【発明の詳細な説明】
【０００１】
【発明の属する技術分野】
本発明は、種子紐により畑などに野菜などの播種を行う種子紐播種装置等に関連して利用することができ、播種終了点で種子紐を切断する種子紐切断装置に関する。
【０００２】
【従来の技術】
テープに一定間隔で野菜の種子等を保持した種子テープや、不織布などの紙テープに種子を巻き込みさらに紐で絡めたもの（以下本願において種子紐と総称する）を用いて畑等に播種を行う作業が広く行われている。
種子紐播種装置を複数台（多連に）用いてトラックタ等で牽引して多数の畝に同時に敷設する播種方法が実施されている。そのような場合、播種終了点で種子紐を切断する必要がある。従来は作業者がトラックタからおりて刃物を土中に挿入して土中で切断するとか、多数の刃を機械的に土中に挿入して切断する等の方法が行われている。
【０００３】
【発明が解決しようとする課題】
前述のように刃物が土中に再三挿入されると刃先が磨耗され鈍くなり好ましいことではない。
本発明の目的は土壌中に刃物を挿入するような方法によらない新規な種子紐切断装置を提供することにある。
【０００４】
【課題を解決するための手段】
前記目的を達成するために、本発明による種子紐切断装置は、
土壌に供給されて埋設される種子紐を播種終了点で切断するための種子紐切断装置であって、
土壌に押さえつけ配設された種子紐の方向と交差する平面内で前記種子紐を保持して種子紐の一部をすくい上げ土壌表面の上に設けられているカッタに接触させる手段とから構成されている。
前記種子紐をカッタに接触させる手段は、種子紐の方向と交差する平面内に、先端にフックがあり、前記種子紐の下側を移動し、種子紐の一部をすくい上げるレバーとすることができ、前記カッタをレバーの移動経路に設けることができる。
【０００５】
【作用】
前記構成によれば、種子紐リールから土壌に供給されて埋設される種子紐をレバーを駆動してレバーの先端のフックで前記種子紐の下側を移動してすくい上げ、種子紐を空間に配置されたカッタに押しつけて切断することができる。
【０００６】
【発明の実施の形態】
以下図面等を参照して本発明をさらに詳しく説明する。
図１は本発明による種子紐切断装置の実施例を種子紐播種装置と組み合わせて使用している状態を示す略図的側面図である。図２は図１に示した種子紐切断装置の背面図で、図１に示した種子紐播種装置を進行方向後ろ側から見た図である。図３は前記種子紐播種装置で埋設中の種子紐に対する種子紐切断装置の位置関係を示す略図的な平面図である。図４は前記種子紐播種装置で種子紐を埋設した播種終了時点で、種子紐切断装置で種子紐を切断した状態を示す略図的な平面図である。
【０００７】
図１に示されているように種子紐播種装置の主軸９には、主フレーム１１と押さえローラレバー１３が連結軸８により回転可能に設けられている。
主フレーム１１と主軸９間にはばね１９、主フレーム１１と押さえローラレバー１３間にはばね１８が掛け渡されている。押さえローラレバー１３の先端側には表面が弾性部材である押さえローラ３が回転可能に設けられており、押さえローラレバー１３の先端には針金を加工して設けた案内リング１５が設けられている。主フレーム１１に設けられた軸２２には植え込み主ローラ５が回転可能に設けられている。植え込み主ローラ５には一対のフランジ７，７とハブ２１，２１が設けられている。主軸９に関連して鋤１７が設けられており主軸９が矢印Ｂの方向に移動させられたとき鋤１７により畝溝１０ａが形成される。主フレーム１１の後端側には種子紐切断装置ＣＵが設けられている。
【０００８】
図２を参照して前記種子紐切断装置ＣＵの構成をさらに説明する。種子紐切断装置ＣＵの枠３１は主フレーム１１と一体に設けられている。なお、種子紐播種装置の後方に別体に設けることもできる。枠３１には案内軸３２が設けられておりこの案内軸３２にレバー３９がそのレバーの長溝３９ａで結合されている。
レバー３９の下端側には二股のフック部３９ｂが設けられている。レバー３９の上端部のピンと枠３１間にはばね３５が設けられており、前記ピンは索条３６に結合されており索条３６は、枠３１に一体に設けられている索条ガイド３３の孔を介して上方に引き上げ可能に設けられている。この索条ガイド３３の上方向への引き上げは最も簡単な装置においては人力により引き上げることができる。多連の種子紐播種装置を使用するときには共通のモータで引き上げるように構成することができる。また種子紐切断装置ＣＵには円盤カッタ３７が設けられている。
なおこの実施例では円盤カッタを用いる例を示したが、種子紐の材料が熱で簡単に切断される場合にはカッタとしてヒータを用いることもできる。
【０００９】
種子紐播種装置の主軸９を図１において矢印Ｂの示す方向にトラックタ等で牽引する。図示しない種子紐リールに蓄えられている種子紐１は案内リング１５を介して植え込み主ローラ５の表面に導かれ、押さえローラ３により植え込み主ローラ５に押さえつけられている種子紐１は植え込み主ローラ５により土壌１０の畝溝１０ａに押さえつけられる。
種子紐１が所定の長さ土壌中に埋設され、種子紐１を切断するときに前述した種子紐切断装置ＣＵを動作させて種子紐１を切断する。図１は種子紐が切断された状態を示している。
【００１０】
次に、さらに図２，図３，図４を参照して種子紐切断装置の動作を説明する。図２において、索条３６を上方向に引き上げると、レバー３９の下端のフック部３９ｂは図２中破線の示す時計方向に回動して種子紐１を引き上げて種子紐１をカッタ３７に押しつける。図３はレバー３９が回動を開始する直前の状態を示し、図４はレバー３９が種子紐１をカッタ３７に押しつけて切断した状態を示している。
【００１１】
【発明の効果】
以上詳しく説明したように、本発明による種子紐切断装置は、
種子紐リールから土壌に供給されて埋設される種子紐を播種終了点で切断するための種子紐切断装置であって、
配設された種子紐の方向と交差する平面内で前記種子紐を保持して種子紐の一部をすくい上げ土壌表面上に設けられているカッタに接触させる手段とから構成されている。
前記種子紐をカッタに接触させる手段は、種子紐の方向と交差する平面内を移動するフックをもち、前記種子紐の下側を移動し、種子紐の一部をすくい上げるレバーであり、前記カッタはレバーの移動経路に設けることができる。
カッタは土壌表面上に設けられているから土壌との接触により損傷されることはない。トラックタ等を使用して播種するときは、運転者はトラックタ上からの操作により種子紐を切断することができトラックタからおりて刃物等で切断する必要なない。
【図面の簡単な説明】
【図１】本発明による種子紐切断装置の実施例を種子紐播種装置と組み合わせて使用している状態を示す略図的側面図である。
【図２】図１に示した種子紐切断装置の背面図、すなわち図１に示した種子紐播種装置を進行方向後ろ側から見た図である。
【図３】前記種子紐播種装置で埋設中の種子紐に対する種子紐切断装置の位置関係を示す略図的な平面図である。
【図４】前記種子紐播種装置で種子紐を埋設した播種終了時点で、種子紐切断装置で種子紐を切断した状態を示す略図的な平面図である。
【符号の説明】
１  種子紐（シードテープ）
１ａ  種子
３  押さえローラ
５  植え込み主ローラ
７  フランジ
８  連結軸
９  主軸
１０  土壌（畑）
１１  主フレーム
１３  押さえローラレバー
１５  案内リング
１７  鋤（プラウ）
１８，１９  ばね
２１  ハブ
２２  軸
ＣＵ  種子紐切断装置
３１  種子紐切断装置の枠
３２  案内軸
３３  索条ガイド
３５  ばね
３６  索条
３７  円盤カッタ
３９  レバー
３９ａ  レバーの長溝
３９ｂ  レバーのフック
【図１】
0003719772.tif 000002
【図２】
0003719772.tif 000003
【図３】
0003719772.tif 000004
【図４】
0003719772.tif 000005